【手続補正書】
【提出日】平成17年2月15日(2005.2.15)
【手続補正１】
【補正対象書類名】明細書
【補正対象項目名】全文
【補正方法】変更
【補正の内容】
【書類名】  明細書
【発明の名称】  表示装置およびそれを用いた厨芥処理機
【特許請求の範囲】
【請求項１】  商用電源供給時に前記商用電源を直流電圧に変換する電源装置と、前記電源装置により電荷を蓄えるコンデンサと、前記コンデンサの電荷を放電させる電源供給スイッチと、前記電源供給スイッチと並列に接続されたダイオードと、前記電源装置に並列に接続されたマイクロコンピュータと、前記マイクロコンピュータに接続され、機器の動作状態を表示する表示手段を備え、前記商用電源が供給されていないときに、前記電源供給スイッチにより前記コンデンサに蓄えた電荷を放電し、前記マイクロコンピュータに供給することで、前記表示手段により機器の動作状態を表示可能とした表示装置。
【請求項２】  商用電源供給時に前記商用電源を直流電圧に変換する電源装置と、一次電池と、前記一次電池を電源として供給させる電源供給スイッチと、前記電源供給スイッチと直列に接続されたダイオードと、前記電源装置に並列に接続されたマイクロコンピュータと、前記マイクロコンピュータに接続され、機器の動作状態を表示する表示手段を備え、前記商用電源が供給されていないときに、前記電源供給スイッチにより前記一次電池の電荷を放電し、前記マイクロコンピュータに供給することで、前記表示手段により機器の動作状態を表示可能とした表示装置。
【請求項３】  所定時間を計時するタイマーをマイクロコンピュータに接続し、電源供給スイッチのＯＮ時より所定時間の間表示可能とした請求項１または２記載の表示装置。
【請求項４】  複数のコンデンサを電源装置に並列接続した請求項１または３記載の表示装置。
【請求項５】  上記請求項１〜４のいずれか１項に記載の表示装置を有した深夜電力のみを利用し運転する厨芥処理機。
【発明の詳細な説明】
【０００１】
【発明の属する技術分野】
本発明はユーザーに情報を表示する表示装置およびそれを搭載した厨芥を処理する厨芥処理機に関するものである。
【０００２】
【従来の技術】
従来の厨芥処理機について乾燥方式を例に図８、９を用いて説明する。
【０００３】
１は厨芥を収納する収納容器で、２は前記収納容器１内に入れられた厨芥に熱風を送るための熱源の加熱手段、４は前記加熱手段２で発生する熱を前記厨芥に送る送風手段（乾燥ファン）、１１は収納容器１の内底部に回転自在に配され、前記厨芥を撹拌させるための撹拌手段、３は外気導入用の吸気孔、２０は脱臭手段で、前記収納容器１内の厨芥処理時に発生する臭いを脱臭するための酸化触媒と前記酸化触媒の反応を向上させるための触媒ヒータから構成されている。１３は前記脱臭手段２０に前記収納容器１内空気を導くための吸引手段（排気ファン）である。
【０００４】
次に動作について説明する。使用者によって、前記収納容器１内に厨芥が投入された後、処理が開始されると、前記触媒ヒータ（図示せず）によって、酸化触媒（図示せず）の温度を上昇させて臭いを分解可能な状態になった時点（通常では約２０〜３０分）で、その後に前記加熱手段２、乾燥ファン４、撹拌手段１１等を動作させる。時間の経過と共に、収納容器１内の厨芥に含まれる水分が蒸発し始め、同時に臭気も発生する。前記臭気、蒸気を前記排気ファン１３によって収納容器１内から外部に放出する途中に脱臭手段２０を設け、前記収納容器１内の空気を分解しながら外部に放出される。また、乾燥ファン４を回転させて発生する吸気流によって吸気口３から厨芥処理機本体内の収納容器１内へ外気を導入し、厨芥と接する空気中の水蒸気の分圧をできるだけ小さくして厨芥中の水分がそれと接触する空気中へ蒸発しやすいようにしている。さらに、収納容器１内を外気圧に対して若干負圧に保って正規の排気経路（脱臭手段２０を通過する経路）以外からの臭いを含んだ排気の漏れを防止するようにしている。また、収納容器１内の厨芥が乾燥したことを検出するために前記収納容器１から前記脱臭手段２０の間に温度検出手段２７が設けられており、温度検出手段２７の出力によって乾燥状態を判断している。厨芥が未乾燥状態の時には蒸気が収納容器１内に多く発生しており、前記蒸気が前記脱臭手段２０に導かれるため、高い温度の空気が前記温度検出手段２７の位置する経路に流れる。乾燥が進むと、収納容器１内の蒸気量が減少するため脱臭手段２０に流入する空気の温度が低下していく。前記変化をとらえて乾燥状態を判断する。また、厨芥処理機には、家庭用の他に業務用といわれる多量なゴミを処理可能な商品も多くあり、その構成についても図９のような構成である。
【０００５】
また、バイオ方式もあり、前記方式の場合には、収納容器内１に入れる微生物生存用の材料を定期的に交換させる必要があり、通常処理の他に排出を行うことも必要になる。これは、業務用の厨芥処理機でも同様である。
【０００６】
ここで、近年、深夜電力のみを利用する装置も提案されているが、深夜電力を利用する装置は動作を行い始めたら、処理が終わるまでは自動で動作を行うことが多く、この場合には、動作中に異常が発生したりする際の要因を表示し、使用者に知らせることも二次電池を用いて行う提案もされている。
【０００７】
【発明が解決しようとする課題】
しかしながら、従来の厨芥処理機において、二次電池を使用するには大きく２つの課題がある。
【０００８】
まず、第１の課題は、充放電回数である。深夜電力のみ利用し、本体の処理を行う場合に深夜電力で供給時には充電を、昼間の商用電源非供給時には放電を行うことになる。一般的に充放電の寿命は、数千回といわれており、毎日充放電を行うと約１０年で、二次電池を交換しなければならない。
【０００９】
そして第２の課題は、使用温度範囲が狭いことである。ＭＡＸ４０℃といわれており、この温度を越えると、前記の充放電回数の数値が下がってくることになる。使用場所が屋外であるため、使用温度を電池の自己発熱を含めて４０℃以下にするには、冷却手段が必要であり、構成が複雑になるばかりでなく、価格もアップさせることになる課題があった。
【００１０】
本発明は、上記従来の課題を解決するもので、部品品質を確保し、安全性を向上させるとともに、確実に異常情報を表示させることができ、使用性の高い表示装置およびそれを用いた厨芥処理機を提供することを目的とする。
【００１１】
【課題を解決するための手段】
上記目的を達成するために本発明は、商用電源供給時に前記商用電源を直流電圧に変換する電源装置と、前記電源装置により電荷を蓄えるコンデンサと、前記コンデンサの電荷を放電させる電源供給スイッチと、前記電源供給スイッチと並列に接続されたダイオードと、前記電源装置に並列に接続されたマイクロコンピュータと、前記マイクロコンピュータに接続され、機器の動作状態を表示する表示手段を備え、前記商用電源が供給されていないときに、前記電源供給スイッチにより前記コンデンサに蓄えた電荷を放電し、前記マイクロコンピュータに供給することで、前記表示手段により機器の動作状態を表示可能としたもので、商用電源の非供給時においても異常情報を確実に表示でき、製品の品質を確保するとともに使用性の高い装置を提供できるものである。
【００１２】
【発明の実施の形態】
本発明の請求項１記載の発明は、商用電源供給時に前記商用電源を直流電圧に変換する電源装置と、前記電源装置により電荷を蓄えるコンデンサと、前記コンデンサの電荷を放電させる電源供給スイッチと、前記電源供給スイッチと並列に接続されたダイオードと、前記電源装置に並列に接続されたマイクロコンピュータと、前記マイクロコンピュータに接続され、機器の動作状態を表示する表示手段を備え、前記商用電源が供給されていないときに、前記電源供給スイッチにより前記コンデンサに蓄えた電荷を放電し、前記マイクロコンピュータに供給することで、前記表示手段により機器の動作状態を表示可能としたもので、商用電源の非供給時においても異常情報を確実に表示でき、製品の品質を確保するとともに使用性の高い装置を提供できるものである。
【００１３】
本発明の請求項２記載の発明は、商用電源供給時に前記商用電源を直流電圧に変換する電源装置と、一次電池と、前記一次電池を電源として供給させる電源供給スイッチと、前記電源供給スイッチと直列に接続されたダイオードと、前記電源装置に並列に接続されたマイクロコンピュータと、前記マイクロコンピュータに接続され、機器の動作状態を表示する表示手段を備え、前記商用電源が供給されていないときに、前記電源供給スイッチにより前記一次電池の電荷を放電し、前記マイクロコンピュータに供給することで、前記表示手段により機器の動作状態を表示可能としたもので、商用電源の供給、非供給時間に関わらず、確実に異常情報を表示でき、製品の品質を確保するとともに使用性の高い装置を提供できるものである。
【００１４】
本発明の請求項３記載の発明は、所定時間を計時するタイマーをマイクロコンピュータに接続し、電源供給スイッチのＯＮ時より所定時間の間表示可能としたもので、表示を所定時間に設定でき、商用電源の非供給時間が長くても、確実に表示でき、製品の品質を確保するとともに使用性の高い装置を提供できるものである。
【００１５】
本発明の請求項４記載の発明は、複数のコンデンサを電源装置に並列接続したもので、長時間の異常情報の表示が行え、製品の品質を確保するとともに使用性の高い装置を提供できるものである。
【００１６】
本発明の請求項５記載の発明は、上記請求項１〜４のいずれか１項に記載の表示装置を有した深夜電力を利用し運転する厨芥処理機で、部品品質を確保し、安全性を向上させるとともに、確実に異常情報を表示させることができ、使用性の高い表示装置およびそれを用いた厨芥処理機を提供できる。
【００１７】
【実施例】
以下、本発明の一実施例を、図１〜図７を用いて説明する。
【００１８】
まず、厨芥を処理する方法について、その一例を説明する。図１は家庭用厨芥処理機、図２は業務用厨芥処理機の断面図である。
【００１９】
６は厨芥処理機本体（以下本体と称す）であり、厨芥を収容する収納容器１と、前記収納容器１内の厨芥を加熱するための熱源となる第１加熱手段２と、前記第１加熱手段２により加熱された空気を厨芥に送風させる送風手段である乾燥ファン４と、前記収納容器１から本体６外へ収納容器１内の厨芥から発生する臭いや水蒸気を排気するための吸引手段（排気ファン）１３と、収納容器１内の厨芥を撹拌・粉砕させる撹拌手段１１と、外気を収納容器１内へ導入するための吸気孔３が設けてあり、収納容器１内の厨芥から発生する臭いや水蒸気は、前記吸気孔３からの外気中に混じって前記吸引手段１３へと排気されていく。また、吸引手段１３の入口迄の間に第１温度検出手段２７が設けてあり、収納容器１内の厨芥から発生する水蒸気量に応じた温度を検出している。そして第１温度検出手段２７の出力すなわち収納容器１内の厨芥からの水蒸気の発生量の変化により厨芥の処理状況を判断している。
【００２０】
吸引手段１３により、収納容器１内の空気が強制的に排気されると、収納容器１内が負圧になり、吸気孔３から外気が収納容器１内へ導入される。すると収納容器１内の厨芥と接触する空気中の臭いと水蒸気の分圧が下がり、厨芥からさらにその空気中に臭いと水蒸気が気散する。これにより吸気孔３から導入され吸引手段１３で収納容器１外へと排気される空気中に収納容器１内の厨芥から臭いと水蒸気が気散し、除去され、前記繰り返しによって厨芥は乾燥していく。
【００２１】
そして、その厨芥からの臭いと水蒸気の発生量は処理工程の初期では厨芥の温度が低いために少なく、処理工程後期では厨芥の表面が乾燥し始めているため内部の臭いや水分が表面に抜け出しにくくなり、やはり少なくなる。最盛期では厨芥は全体にやわらかなペースト状となる場合もあって、臭いと水蒸気の発生量は最大となる。前記吸引手段１３入口迄の間に設けた（第１加熱手段２の近傍に配置された場合でも検出できる）第１温度検出手段２７で収納容器１からの排気中の水蒸気の量を温度として検知して、その量の変化に合わせて乾燥状況を判断する。
【００２２】
以上の動作を行う中で、図３の回路は以下の構成となっている。
【００２３】
３７は商用電源、３１は商用電源供給時に商用電源３７の交流電圧を直流電圧に変換する電源装置、３４は電荷を蓄えるコンデンサ、３２はコンデンサ３４と電源装置３１のそれぞれの端子に電気的に接続された電源供給スイッチ、３３は電源供給スイッチ３２と並列に接続されたダイオード、３６はマイクロコンピュータ（以下マイコンと称す）で、前記ダイオード３３の一端を前記コンデンサ３４に、他端を前記電源装置３１側に接続し、本体の動作の状態を表示できる表示手段３５を駆動させる。
【００２４】
次に動作について説明する。まず、深夜電力使用時間帯（一般に２３：００〜７：００）に商用電源３７が供給されている状態の時について説明する。商用電源３７が供給されていれば、電源装置３１は直流電圧（たとえばＤＣ５Ｖ）を出力する。このＤＣ５Ｖによって、マイコン３６は動作を行える状態になる。ここで、たとえば異常が発生した場合には、マイコン３６によって、表示手段３５に異常信号を出力し表示を行う。また、前記電源装置３１により出力された直流電圧がダイオード３３を介してコンデンサ３４に印可され、電荷が蓄えられる。コンデンサ３４への供給は、商用電源３７が供給されている間は行われることになる。上記のように、商用電源３７が供給されていれば、各手段の動作は問題なく行われる。
【００２５】
次に、深夜電力使用時間帯以外（一般に７：００〜２３：００）で商用電源３７の供給が無い場合について説明する。この場合には、電源装置３１は直流電圧を出力することが出来ない。また、この状態であれば、たとえば生ごみ処理機の動作自体も行うことが出来ない。そこで、深夜の電源が供給されている時間帯に異常が発生したとする。しかし、商用電源３７の供給される時間帯以外の時間になった場合には、表示がストップする。使用者がこのストップした状態の時に本体の処理状態を確認しにいったとすると何の理由で動作が停止し、処理が終了していないのかが分からず、修理するにしても状況を認識するまでに多くの時間を費やしてしまうことになる。そこで、商用電源３７が供給されないときにも、異常の情報があれば表示を行えるように、前記電源供給スイッチ３２を使用者がＯＮすることで、商用電源３７の供給時に蓄えられていたコンデンサ３４の電荷（図７参照）が電源供給スイッチ３２を介して、マイコン３６に供給される。マイコン３６は、これによって動作が可能になり異常の信号を表示手段３５によって表示する。
【００２６】
また、図４のように、所定時間を計時するタイマー３８を設け、マイコン３６より表示手段３５への異常情報を表示させる出力と同時に、前記タイマー３８への計時信号を出力し、所定時間（たとえば５秒）計時後に計時終了信号を受け表示手段３５の表示を停止させる。これにより、電源供給スイッチ３２を押している間、表示手段３５の表示を行うのではなく、所定時間のみとなるので、前記コンデンサ３４の蓄積電荷の減少を抑えることができる。
【００２７】
また、図５のように、コンデンサ３４の代わりに一次電池３９を使用すると、使用していない状態の時でも（コンデンサ３４であれば、一旦電源装置３１で電荷を蓄えないとならない）電圧が発生でき、マイコン３６が動作可能な状態となる。この場合には一次電池３９への電圧の供給は不要となるため、ダイオード３３と電源供給スイッチ３２の構成が異なる。
【００２８】
更に、図６においては、コンデンサ３４の個数を増やし、並列で接続することで表示させる時間をのばすことができ、短時間の電源装置３１からの電圧供給で、長時間の表示が可能となる。
【００２９】
これらの動作によって、深夜電力を専門に利用する厨芥処理機で、商用電源３７（交流１００Ｖや２００Ｖの電源）の供給が無い昼間の状態であっても、その前の動作の異常情報を確実に認識できるようになる。
【００３０】
上記では、乾燥方式による処理例を示したが、バイオ方式においても以下に示す動作の効果は得られる。
【００３１】
【発明の効果】
本発明によれば、部品品質を確保し、使用勝手を向上させるとともに、使用者に確実な情報を提供できる、使用性の高い厨芥処理機を提供できる。
【図面の簡単な説明】
【図１】
本発明の一実施例を示す家庭用厨芥処理機の一部破断側面図
【図２】
同業務用厨芥処理機の断面図
【図３】
同厨芥処理機の回路ブロック図
【図４】
同厨芥処理機の他の回路ブロック図
【図５】
同厨芥処理機の他の回路ブロック図
【図６】
同厨芥処理機の他の回路ブロック図
【図７】
同厨芥処理機のコンデンサ電圧チャート
【図８】
従来の家庭用厨芥処理機の一部破断側面図
【図９】
同業務用厨芥処理機の一部破断外観斜視図
【符号の説明】
３１  電源装置
３２  電源供給スイッチ
３３  ダイオード
３４  コンデンサ
３５  表示手段
３６  マイクロコンピュータ
３７  商用電源
３８  タイマー
３９  一次電池